(57)【要約】【課題】無線通信カード１０の端子部分及びエミュレータ８のコネクタ９の各構成を若干変更し、通信カード１０を直接エミュレータ８のコネクタ９に接続できるようにした無線通信カードを提供する。【解決手段】少なくとも、無線周波数信号の送受信及び送受信無線信号とベースバンドデータ信号との相互周波数変換を行う無線周波ＩＣ２と、送受信データ信号を処理するベースバンドＩＣ３と、プログラム等を格納したメモリ４と、外部機器とのインターフェイスに用いるカード用インターフェイスＩＣ５とをカード型基板１に装着し、カード型基板１の１つの端縁部分には、表面に外部機器に設けたカードコネクタ内の複数のコネクタピンに導電接続される第１の導電パッドを設け、その裏面にエミュレータ８のコネクタ９内の複数の長いコネクタピン９（１）に導電接続される第２の導電パッド６（２）を設けた。【選択図】        図２
2004362150.tif 000002
【特許請求の範囲】
【請求項１】
少なくとも、無線周波数信号の送受信及び送受信無線信号とベースバンドデータ信号との相互周波数変換を行う無線周波ＩＣと、送受信データ信号を処理するベースバンドＩＣと、プログラム等を格納したメモリと、外部機器とのインターフェイスに用いるカード用インターフェイスＩＣとのそれぞれをカード型基板に装着し、前記カード型基板の１つの端縁部分には、一方の面に前記外部機器に設けたカードコネクタ内の複数のコネクタピンにそれぞれ導電接続される第１の導電パッドを設けるとともに、他方の面にエミュレータのコネクタ内の複数のコネクタピンにそれぞれ導電接続される第２の導電パッドを設け、前記カード型基板を保護ケース内に収容したことを特徴とする無線通信カード。
【請求項２】
前記エミュレータにおけるコネクタ内の複数のコネクタピンを前記外部機器に設けたカードコネクタ内の複数のコネクタピンの長さより長くなるように構成し、前記カード型基板を前記エミュレータのコネクタに装着したとき、前記コネクタ内の複数の長いコネクタピンが前記第２の導電パッドに導電接続されることを特徴とする請求項１に記載の無線通信カード。
【請求項３】
前記第２の導電パッドは、少なくとも４つのデータ入力用パッドと１つの出力用パッドとからなっていることを特徴とする請求項１もしくは２に記載の無線通信カード。
【請求項４】
前記第２の導電パッドに前記エミュレータのコネクタ内の複数のコネクタピンが導電接続されている際に、前記カード用インターフェイスＩＣのチップイネーブルをハイレベルに固定する手段を設けていることを特徴とする請求項１乃至３のいずれかに記載の無線通信カード。
【請求項５】
前記無線通信カードは、ＣＤＭＡ通信カードであることを特徴とする請求項１乃至４のいずれかに記載の無線通信カード。
【発明の詳細な説明】
【０００１】
【発明の属する技術分野】
本発明は、無線通信カードに係り、特に、カードスロットを搭載しているＰＣ（Ｐｅｒｓｏｎａｌ  Ｃｏｍｐｕｔｅｒ）やＰＤＡ（Ｐｅｒｓｏｎａｌ  Ｄｉｇｉｔａｌ  Ａｓｓｉｓｔａｎｔ）等の外部機器に装着することにより、当該外部機器と外部サーバーとの間で無線通信を行うことを可能にした無線通信カードに関する。
【０００２】
【従来の技術】
近年、カードスロットを搭載したＰＣやＰＤＡ等の外部機器に装着され、その外部機器と外部サーバーとの間で無線通信を行うことを可能にした無線通信カードが開発されており、その代表的なものとしてＣＤＭＡ（Ｃｏｄｅ  Ｄｉｖｉｓｉｏｎ  Ｍｕｔｉｐｌｅ  Ａｃｃｅｓｓ）通信カードやＰＨＳ（Ｐｅｒｓｏｎａｌ  Ｈａｎｄｙ−ｐｈｏｎｅ  Ｓｙｓｔｅｍ）通信カードがある。
【０００３】
かかる無線通信カードは、製品の製造時に、メーカー側において、エミュレータを用いてベースバンドＩＣ内に必要なファームウエアをエミュレートするようにしているので、完成した無線通信カード（以下、これを単に無線通信カードという）を納入した場合、その後にユーザー側等において、ベースバンドＩＣ内のファームウエアを再エミュレートする必要がないものである。
【０００４】
ところが、得られた無線通信カードに対し、ハードウエアの変更なしに、メーカー側がベースバンドＩＣにエミュレートされているファームウエアの機能をより高めるための機能促進を図りたい場合、または、無線通信カードを取得したユーザー側がベースバンドＩＣ内のファームウエアのグレードアップを図りたい場合等においては、無線通信カードにエミュレータを接続し、接続したエミュレータを用いてベースバンドＩＣ内のファームウエアを再エミュレートすることがある。
【０００５】
このため、この種の無線通信カードにおいては、かかるベースバンドＩＣ内のファームウエアの再エミュレートが行えるように、カード基板にフレキシブルケーブルが接続可能なフレキシブルコネクタを別途設けているものがある。このような無線通信カードにおいては、ベースバンドＩＣ内のファームウエアを再エミュレートする場合、無線通信カードのフレキシブルコネクタとエミュレータとをフレキシブルコネクタによって接続し、それによりベースバンドＩＣ内のファームウエアを再エミュレートするようにしている。
【０００６】
ここで、図４は、この種の無線通信カードの要部構成の一例を示す概要図である。
【０００７】
図４に示されるように、無線通信カード４０は、カード型基板４１と、カード型基板４１にそれぞれ装着された無線周波ＩＣ（ＲＦ  ＩＣ）４２と、ベースバンドＩＣ（ＢＢ  ＩＣ）４３と、メモリ４４と、カード用インターフェイスＩＣ（カード用ＩＦ  ＩＣ）４５とを備えており、その他に、カード型基板４１の１つの端縁部に設けられた複数の導電パッド４６と、カード型基板４１の他の端縁部に設けられたフレキシブルコネクタ４７とを備えている。また、ベースバンドＩＣ４３は、ＪＴＡＧ（Ｊｏｉｎｔ  Ｔｅｓｔ  Ａｃｔｉｏｎ  Ｇｒｏｕｐ）インターフェイスと呼ばれる回路（ＪＴＡＧ  ＩＦ）４３（１）を内蔵しており、図４に図示されていないが、無線通信カード４０は、端子部分を除いて全体が保護ケース内に収納されている。この他に、無線通信カード４０は、後述するように、カードコネクタ４８、フレキシブルケーブル４９、エミュレータ５０等が選択的に接続される。
【０００８】
ところで、ベースバンドＩＣ４３に内蔵されているＪＴＡＧインターフェイス回路４３（１）は、無線通信カード４０の外部から高速で特殊なシリアルデータを供給することにより、ベースバンドＩＣ４３の全ての外部入出力ピンを走査したり、ベースバンドＩＣ４３内の回路を制御したりすることが可能になるもので、それによりベースバンドＩＣ４３の内部外部に係りなく、その動作をエミュレートすることができるだけでなく、ベースバンドＩＣ４３のアドレスピンやデータピンを制御することにより、外部接続のＲＯＭ、例えばフラッシュＲＯＭやプログラマブルＲＯＭの書き込みまたは読み出しを行って、ベースバンドＩＣ４３用のプログラムをダウンロードすることができるようになる。
【０００９】
この場合、無線周波ＩＣ４２は、無線周波数信号の送受信を行うとともに、送受信無線周波数信号とベースバンドデータ信号との相互周波数変換を行っているものである。ベースバンドＩＣ４３は、主な機能として、送受信データ信号の処理を行ったり、データ信号に対する送信または受信を制御するものであり、その他に、ＪＴＡＧインターフェイス回路４３（１）を用いてファームウエアをエミュレートしたり、ベースバンドＩＣ４３用のプログラムの書き込み（ダウンロード）を行ったりする。メモリ４４は、各種のプログラムを格納したり、ベースバンドＩＣ４３で処理するデータ信号を一時的に格納したりするものである。カード用インターフェイスＩＣ４５は、無線通信カード４０と、この無線通信カード４０がカードスロット内に装着されたＰＣやＰＤＡ等の外部機器（図示なし）との間をインターフェイスするものである。
【００１０】
続く、図５（ａ）乃至（ｃ）は、無線通信カード４０と外部機器側のカードコネクタとの接続状態及び無線通信カード４０とエミュレータとの接続状態を示す構成図であって、（ａ）はカード型基板４１の一面を示す表面図、（ｂ）はカード型基板４１の側面を示す断面図、（ｃ）はカード型基板４１の他面を示す裏面図である。
【００１１】
図５（ａ）乃至（ｃ）に示されるように、カード型基板４１は、その一面の１つの端縁部分に複数の導電パッド４６が設けられており、その一面の他の端縁部分にフレキシブルコネクタ４７が設けられている。一方、外部機器に設けられたカードコネクタ４８は、無線通信カード４０をカードスロット内に装着したとき、無線通信カード４０と外部機器とを接続するもので、複数本のピン部４８（１）と、各ピン部４８（１）から導出されたピン接続部４８（２）とを有し、各ピン部４８（１）の先端にあるピン接続部４８（２）が対応する導電パッド４６に導電接続されるように構成されている。
【００１２】
このため、無線通信カード４０をカードスロット内に装着すると、無線通信カード４０側の複数の導電パッド４６と、カードコネクタ４８側の複数のピン部４８（１）を介して複数のピン接続部４８（２）とが接続され、無線通信カード４０と外部機器とが接続される。このような接続が行われると、無線通信カード４０と外部機器との間でデータ信号を相互伝送することが可能になる。
【００１３】
一方、無線通信カード４０とエミュレータ５０との接続は、フレキシブルコネクタ４７とエミュレータ５０との間にフレキシブルケーブル４９を接続することによって行われる。無線通信カード４０とエミュレータ５０とを接続する際は、無線通信カード４０を被覆している保護ケースを取り外してカード型基板４１を露出した状態にし、フレキシブルコネクタ４７にフレキシブルケーブル４９の一端を接続するとともに、フレキシブルケーブル４９の他端をエミュレータ５０に接続し、無線通信カード４０とエミュレータ５０とが接続される。
【００１４】
このような接続が行われると、前述のようにエミュレータ５０を用いて、ＪＴＡＧインターフェイス回路４３（１）を利用したファームウエアのエミュレートを行うことができ、ベースバンドＩＣ４３内のファームウエアの機能をより高めたり、同ファームウエアのグレードアップを図ったりすることができる。
【００１５】
【発明が解決しようとする課題】
ところで、無線通信カード４０と同等の機能を有する無線通信モジュールが制御機器に内蔵されている場合は、主インターフェイスコネクタの中にＪＴＡＧインターフェイス回路４３（１）で必要とされるピンを割り当てるようにすれば、主インターフェイスコネクタを用いたエミュレータ５０によるベースバンドＩＣ４３内のファームウエアのエミュレートを行うことができる。
【００１６】
しかるに、無線通信カード４０の場合は、カードコネクタ４８が無線通信カード４０のインターフェイスであるＰＣカードの標準規格に依存するため、カードコネクタ４８を用いたエミュレータ５０によるベースバンドＩＣ４３内のファームウエアのエミュレートを行うことができず、カードコネクタ４８と別の専用コネクタ、例えばフレキシブルコネクタ４７を設け、かかるフレキシブルコネクタ４７を用いて、エミュレータ５０によるベースバンドＩＣ４３内のファームウエアのエミュレートを行う必要がある。
【００１７】
この場合、無線通信カード４０におけるフレキシブルコネクタ４７は、製品化されると、保護ケースによって被覆されてしまうため、直ちに、フレキシブルコネクタ４７にエミュレータ５０を接続し、それによりベースバンドＩＣ４３内のファームウエアのエミュレートを行うことができない。そして、製品化された無線通信カード４０のフレキシブルコネクタ４７に、どうしてもエミュレータ５０を接続した場合は、被覆されている保護ケースを取り外し、カード基板４１を露出した状態にしてフレキシブルコネクタ４７にエミュレータ５０を接続する必要があり、ユーザー側でこのような処理を行うことは作業上大きな負担になる。
【００１８】
本発明は、このような技術的背景に鑑みてなされたもので、その目的は、無線通信カードの端子部分及びエミュレータのコネクタの各構成を若干変更し、通信カードを直接エミュレータのコネクタに接続できるようにした無線通信カードを提供することにある。
【００１９】
【課題を解決するための手段】
前記目的を達成するために、本発明による無線通信カードは、少なくとも、無線周波数信号の送受信及び送受信無線信号とベースバンドデータ信号との相互周波数変換を行う無線周波ＩＣと、送受信データ信号を処理するベースバンドＩＣと、プログラム等を格納したメモリと、外部機器とのインターフェイスに用いるカード用インターフェイスＩＣとのそれぞれをカード型基板に装着し、カード型基板の１つの端縁部分には、一方の面に外部機器に設けたカードコネクタ内の複数のコネクタピンにそれぞれ導電接続される第１の導電パッドを設けるとともに、他方の面にエミュレータのコネクタ内の複数のコネクタピンにそれぞれ導電接続される第２の導電パッドを設け、カード型基板を保護ケース内に収容した手段を備える。
【００２０】
前記手段によれば、カード型基板の一方の面に外部機器に設けたカードコネクタ内の複数のコネクタピンにそれぞれ導電接続される第１の導電パッドを設けるだけでなく、他方の面にエミュレータのコネクタ内にある複数のコネクタピンにそれぞれ導電接続される第２の導電パッドを設けるようにしたので、カード型基板を外部機器のカードコネクタに装着した際は、いままで通りにカード型基板の第１の導電パッドを利用し、一方、カード型基板をエミュレータのコネクタに装着した際は、新たに設けたカード型基板の第２の導電パッドを利用することが可能になるので、カード型基板を直接エミュレータのコネクタに装着すれば、エミュレータによるベースバンドＩＣ内のファームウエアのエミュレートを行うことができ、エミュレート時の作業上の負担を大幅に軽減することができる。
【００２１】
前記手段において、エミュレータにおけるコネクタ内の複数のコネクタピンを外部機器に設けたカードコネクタ内の複数のコネクタピンの長さより長くなるように構成し、カード型基板をエミュレータのコネクタに装着したとき、コネクタ内の複数の長いコネクタピンが第２の導電パッドに導電接続される構成を備えている。
【００２２】
前記構成によれば、カード型基板を外部機器のカードコネクタに装着した際にカードコネクタ内の通常の長さの複数のコネクタピンに導電接続された第１の導電パッドを利用することができ、一方、カード型基板をエミュレータのコネクタに装着した際にエミュレータのコネクタ内の通常の長さよりも長い複数のコネクタピンに導電接続された第２の導電パッドを利用することができ、カード型基板上の第１及び第２の導電パッドを有効に使い分けることができる。
【００２３】
また、前記手段において、第２の導電パッドは、４つのデータ入力用パッドと１つの出力用パッドとからなっている構成を備えている。
【００２４】
前記構成によれば、カード型基板に最小限の数の第２の導電パッドを設けるだけで、４つのデータ入力用パッドと１つの出力用パッドとを用い、ベースバンドＩＣ内のファームウエアをエミュレートすることができる。
【００２５】
さらに、前記手段において、第２の導電パッドにエミュレータのコネクタ内の複数のコネクタピンが導電接続されている際に、カード用インターフェイスＩＣのチップイネーブルをハイレベルに固定する手段を設けた構成を備えている。
【００２６】
前記構成によれば、カード型基板をエミュレータのコネクタに装着したとき、そのコネクタがカード型基板上の第１の導電パッドに導電接続したとしても、その導電接続によりベースバンドＩＣが誤動作するのを有効に阻止することができる。
【００２７】
【発明の実施の形態】
以下、本発明の実施の形態を図面を参照して説明する。
【００２８】
図１及び図２は、本発明による無線通信カードの１つの実施の形態を示すもので、その表面及び裏面の要部構成を示す斜視図であって、無線通信カードがＣＤＭＡ通信カードであり、外部機器のカードコネクタとコネクタを有するエミュレータを併せて図示したものである。
【００２９】
図１及び図２に示されるように、この実施の形態による無線通信カード１０は、カード型基板１と、カード型基板１の表面にそれぞれ装着された無線周波ＩＣ（ＲＦ  ＩＣ）２と、ベースバンドＩＣ（ＢＢ  ＩＣ）３と、メモリ４と、カード用インターフェイスＩＣ（カード用ＩＦ  ＩＣ）５とを備え、この他に、カード型基板１の表面の１つの端縁部に並設された複数の第１の導電パッド６（１）と、カード型基板１の他面の１つの端縁部に並設された５つの第１の導電パッド６（２）とを備えている。また、ベースバンドＩＣ３は、ＪＴＡＧ（ＪｏｉｎｔＴｅｓｔ  Ａｃｔｉｏｎ  Ｇｒｏｕｐ）インターフェイスと呼ばれる回路（ＪＴＡＧ  ＩＦ）３（１）を内蔵しており、図１、図２にそれぞれ図示されていないが、無線通信カード１０は、端子部分を除いて全体が保護ケース内に収納されている。
【００３０】
なお、図１及び図２には、カード型基板１に加えて、カードコネクタ７、コネクタ９を備えたエミュレータ８を図示している。
【００３１】
そして、無線周波ＩＣ２は、この無線通信カード１０を装着した外部機器と、他の外部機器との間で無線周波数信号の送受信を行うとともに、送信用ベースバンドデータ信号を送信用無線周波数信号に周波数変換したり、受信した無線周波数信号をベースバンドデータ信号に周波数変換したりするものである。ベースバンドＩＣ３は、送信用データ信号の処理及び受信したデータ信号の処理を行うとともに、送信用データ信号に対する送信制御または受信したデータ信号に受信制御等を行うものであり、その他にも、ＪＴＡＧインターフェイス回路３（１）を用いてファームウエアをエミュレートしたり、ベースバンドＩＣ３用のプログラムの書き込み（ダウンロード）を行ったりするものである。
【００３２】
なお、ここで用いられているＪＴＡＧインターフェイス回路３（１）は、図４に図示した前述のＪＴＡＧインターフェイス回路４３（１）と同じ機能を有するもので、無線通信カード１０の外部から高速で特殊なシリアルデータを供給することにより、ベースバンドＩＣ３の全ての外部入出力ピンを走査したり、ベースバンドＩＣ３内の回路を制御したりすることを可能にするもので、それによりベースバンドＩＣ３の内部外部に係りなく、その動作をエミュレートすることができるだけでなく、ベースバンドＩＣ３のアドレスピンやデータピンを制御することにより、外部接続のＲＯＭ、例えばフラッシュＲＯＭやプログラマブルＲＯＭの書き込みまたは読み出しを行って、ベースバンドＩＣ３用のプログラムのダウンロードができるようになる。
【００３３】
また、メモリ４は、各種のプログラムを格納したり、ベースバンドＩＣ３で処理するデータ信号を一時的に格納したりするものである。カード用インターフェイスＩＣ５は、無線通信カード１０と、この無線通信カード１０がカードスロット内に装着されたＰＣやＰＤＡ等の外部機器（図示なし）との間をインターフェイスするものである。
【００３４】
次に、図３（ａ）乃至（ｃ）は、無線通信カード１０と外部機器側のカードコネクタ７との接続状態及び無線通信カード１０とエミュレータ８のコネクタ９との接続状態を示す構成図であって、（ａ）はカード型基板１の表面（一面）を示す上面図、（ｂ）はカード型基板１の側面を示す断面図、（ｃ）はカード型基板１の裏面（他面）を示す下面図である。
【００３５】
図３（ａ）乃至（ｃ）に示されるように、カード型基板１は、その表面の１つの端縁部分に複数の第１の導電パッド６（１）が並設され、その裏面の１つの端縁部分に５つの第２の導電パッド６（２）が並設されている。
【００３６】
外部機器に設けられたカードコネクタ７は、複数本のピン部７（１）と、各ピン部７（１）の先端に接続されたピン接続部７（２）とを有するもので、無線通信カード１０の端子部をカードスロット内に装着すると、各ピン部７（１）の先端にあるピン接続部７（２）が対応する第１の導電パッド６（１）に導電接続され、それにより無線通信カード１０と外部機器とが接続される。
【００３７】
すなわち、無線通信カード１０をカードスロット内に装着すると、無線通信カード１０の複数の第１の導電パッド６（１）と、カードコネクタ７の複数のピン部７（１）を介して複数のピン接続部７（２）とが導電接続され、無線通信カード１０と外部機器とが接続される。このような接続が行われると、無線通信カード１０と外部機器との間でデータ信号を相互伝送することが可能になり、無線通信カード１０は、外部機器のデータ信号を無線信号に載せて相手側外部機器に送信したり、相手側外部機器から送信された無線信号を受信し、そのときに得られたデータ信号を当該外部機器が受領することができる。
【００３８】
また、エミュレータ８に設けられたコネクタ９は、少なくとも５つの長いピン部９（１）を有するもので、それらのピン部９（１）の長さがカードコネクタ７の複数のピン部７（１）の長さよりも長くなるように構成されている。そして、無線通信カード１０の端子部をコネクタ９に嵌め込んだときに、コネクタ９の長い５本のピン部９（１）の先端領域がカード型基板１の裏面の１つの端縁部分に並設されている５つの第２の導電パッド６（２）に導電接続され、それにより無線通信カード１０とエミュレータ８とが接続される。
【００３９】
すなわち、無線通信カード１０の端子部にエミュレータ８のコネクタ９を嵌め込むと、無線通信カード１０の５つの第２の導電パッド６（２）と、コネクタ９の長い５つのピン部９（１）とが導電接続され、無線通信カード１０とエミュレータ８とが接続される。このような接続が行われると、無線通信カード１０とエミュレータ８との間でデータ信号や制御信号を相互伝送することが可能になり、無線通信カード１０は、エミュレータ８を用いて、ＪＴＡＧインターフェイス回路３（１）を利用したファームウエアのエミュレートを行うことができ、ベースバンドＩＣ３内のファームウエアの機能をより高めたり、同ファームウエアのグレードアップを図ったりすることができる。
【００４０】
ところで、無線通信カード１０の端子部を用いてエミュレータ８によるベースバンドＩＣ３内のファームウエアの機能増大を図る際には、エミュレータ８のコネクタ９が無線通信カード１０の端子を利用したものであるため、無線通信カード１０の端子部をエミュレータ８のコネクタ９に嵌め込んだとき、カード用インターフェイスＩＣ５に大きな影響を与える可能性があるだけでなく、カード用インターフェイスＩＣ５が有効になっていた場合、カード用インターフェイスＩＣ５とＪＴＡＧインターフェイス回路３（１）との間でデータ同士の衝突が生じる可能性がある。
【００４１】
このため、この実施の形態においては、ＪＴＡＧインターフェイス回路３（１）を利用している場合、カード用インターフェイスＩＣ５を電気的にハイインピーダンスの状態に維持させ、データ同士の衝突による誤作動の発生を防ぐようにしている。このような電気的なハイインピーダンスの状態は、カード用インターフェイスＩＣ５のカードイネーブル端子（ＣＥ１／）を常時ハイレベル（Ｈ）にすることにより達成することができ、それによりカード用インターフェイスＩＣ５に影響を与えることなく、ＪＴＡＧインターフェイス回路３（１）によるエミュレータやプログラムのダウンロードを行うことができる。
【００４２】
このように、この実施の形態による無線通信カード１０によれば、カード型基板１を外部機器のカードコネクタ７に装着した際は、カード型基板１の第１の導電パッド６（１）を利用したデータ伝送が行われ、一方、カード型基板１をエミュレータ８のコネクタ９に装着した際は、新たに設けたカード型基板１の第２の導電パッド６（２）を利用したデータ伝送が行われので、カード型基板１を直接エミュレータ８のコネクタ９に装着することにより、エミュレータ８によるベースバンドＩＣ３内のファームウエアのエミュレートを行うことができる。
【００４３】
なお、前記実施の形態においては、無線通信カード１０がＣＤＭＡ通信カードである例を挙げて説明したが、本発明による無線通信カード１０はＣＤＭＡ通信カードである場合に限られるものでなく、ＣＤＭＡ通信カードに類似の他の通信カードであってもよいことは勿論である。
【００４４】
また、前記実施の形態においては、無線通信カード１０に設ける第２の導電パッド６（２）の数が５つであり、それに伴ってエミュレータ８のコネクタ９の長いピン部８（１）も５つである例を挙げて説明したが、本発明による無線通信カード１０は第２の導電パッド６（２）の数が５つであり、エミュレータ８のコネクタ９の長いピン部８（１）が５つである場合に限られるものでなく、それぞれ５つ以上の数であれば、幾つの数を選択してもよい。
【００４５】
【発明の効果】
以上のように、本発明によれば、カード型基板の一方の面に外部機器に設けたカードコネクタ内の複数のコネクタピンにそれぞれ導電接続される第１の導電パッドを設けるだけでなく、他方の面にエミュレータのコネクタ内にある複数のコネクタピンにそれぞれ導電接続される第２の導電パッドを設けるようにしたので、カード型基板を外部機器のカードコネクタに装着した際は、いままで通りにカード型基板の第１の導電パッドを利用し、一方、カード型基板をエミュレータのコネクタに装着した際は、新たに設けたカード型基板の第２の導電パッドを利用することが可能になるので、カード型基板を直接エミュレータのコネクタに装着すれば、エミュレータによるベースバンドＩＣ内のファームウエアのエミュレートを行うことができ、エミュレート時の作業上の負担を大幅に軽減することができるという効果がある。
【図面の簡単な説明】
【図１】本発明による無線通信カードの１つの実施の形態を示すもので、その表面の要部構成を示す斜視図である。
【図２】本発明による無線通信カードの１つの実施の形態を示すもので、その裏面の要部構成を示す斜視図である。
【図３】無線通信カードと外部機器側のカードコネクタとの接続状態及びその無線通信カードとエミュレータのコネクタとの接続状態を示す構成図である。
【図４】既知の無線通信カードの要部構成の一例を示す概要図である。
【図５】無線通信カードと外部機器側のカードコネクタとの接続状態及び無線通信カードとエミュレータとの接続状態を示す構成図である。
【符号の説明】
１  カード型基板
２  無線周波ＩＣ（ＲＦ  ＩＣ）
３  ベースバンドＩＣ（ＢＢ  ＩＣ）
３（１）  ＪＴＡＧインターフェイス回路
４  メモリ
５  カード用インターフェイスＩＣ（ＩＦ  ＩＣ）
６（１）  第１の導電パッド
６（２）  第２の導電パッド
７  カードコネクタ
７（１）  ピン部
７（２）  ピン接続部
８  エミュレータ
９  コネクタ
９（１）  ピン部
１０  無線通信カード
【図１】
2004362150.tif 000003
【図２】
2004362150.tif 000004
【図３】
2004362150.tif 000005
【図４】
2004362150.tif 000006
【図５】
2004362150.tif 000007